(57)【要約】【課題】  胴内排出された用紙の視認性を向上し、排出用紙の取り出しを容易に行う。【解決手段】  胴内排出により排出される用紙の排出トレイ１０８上に設けられた原稿読み取りを行う原稿読取部３００と、排出部１０８上に設けられ、原稿読取部３００へ原稿を自動給紙する原稿給送部２００（ＡＤＦ）とを備え、原稿読取部３００及び原稿給送部２００を、汎用原稿サイズである第１の原稿サイズ（例えばＡ４サイズ）に対応するサイズとし、原稿給送部２００を、第１の原稿サイズよりも大きなサイズであり且つ排出トレイ１０８のサイズに対応する第２の原稿サイズ（例えばＡ３サイズ）を通紙可能に構成する。【選択図】  図１
2006067430.tif 000002
【特許請求の範囲】
【請求項１】
胴内排出型の画像形成装置であって、
前記胴内排出により排出される用紙の排出部上に設けられた原稿読み取りを行う原稿読取部と、
当該排出部上に設けられ、前記原稿読取部へ原稿を自動給紙する自動原稿給紙装置とを備え、
前記原稿読取部及び自動原稿給紙装置は、汎用原稿サイズである第１の原稿サイズに対応するサイズとされ、
前記自動原稿給紙装置は、少なくとも前記第１の原稿サイズよりも大きなサイズである第２の原稿サイズが通紙可能とされていることを特徴とする画像形成装置。
【請求項２】
前記自動原稿給紙装置は、原稿の載置を補助するべく引き出し自在に構成された補助トレイを備えていることを特徴とする請求項１記載の画像形成装置。
【請求項３】
前記補助トレイは、所定の切欠部又は開口部が形成されていることを特徴とする請求項２記載の画像形成装置。
【請求項４】
前記第１の原稿サイズはＡ４サイズであり、前記第２の原稿サイズはＡ３サイズであることを特徴とする請求項１〜３のいずれかに記載の画像形成装置。
【発明の詳細な説明】
【技術分野】
【０００１】
本発明は、複写機等の画像形成装置に関し、特に、装置上部に原稿読取部や自動原稿給紙装置が配置され、用紙が胴内排出される画像形成装置に関するものである。
【背景技術】
【０００２】
従来、複写機等の画像形成装置においては、画像形成部の上部に設けられた読み取り光学系である原稿読取部、この原稿読取部上に設けられた自動原稿給紙装置（ＡＤＦ；Auto Document Feeder）を備え、当該画像形成部において画像形成（印刷）された用紙を胴内排出することが可能に構成された画像形成装置が知られている。
【０００３】
このような画像形成装置では、例えば図５における画像形成装置６００に示すように、Ａ３サイズ等の大サイズの原稿の読み取りを可能とする原稿読取部６１０（及びＡＤＦ６２０）が、胴内排出された用紙Ｐを積載しておく排出トレイ６３０上を覆うように配置されており、これにより、排出トレイ６３０上の用紙Ｐが原稿読取部６１０やＡＤＦ６２０によって遮蔽されてしまい、用紙Ｐや排出トレイ６３０が上方等から見え難くなり即ち視認性が低下するとともに、当該用紙Ｐが排出トレイ６３０から取り出し難くなってしまう。また、昨今の複写機（複合機；ＭＦＰ（Multi-Function Peripheral））の多機能化に伴い、操作パネル部（キーボード）もより大型化が図られ、このような操作パネル部が例えば原稿読取部６１０に設けられることによって、更に排出トレイ６３０上が覆われてしまうことになり、その結果、ユーザは排出された用紙Ｐをしゃがみこむようにして確認したり取り出しを行わなければならず不便であった。
【０００４】
そこで、この問題に対処するべく、例えば原稿読取部を、その一端辺側を回動支点として排出トレイ上を開放させることが可能となるよう装置本体に設けておき、排出された用紙を確認したり取り出したりする際には、この原稿読取部（及びＡＤＦ）を上方へ開いて退避させる構成を備えたり（例えば特許文献１参照）、或いはＡＤＦと共に原稿読取部を奥側にシフト配置（例えばスライド移動）させて排出トレイ上を開放させる構成を備えたものとしていた。
【特許文献１】特開２０００−２２１７４６号公報
【発明の開示】
【発明が解決しようとする課題】
【０００５】
しかしながら、原稿読取部（ＡＤＦ）を上方へ開いて退避させる構成においては、当該原稿読取部の退避動作（開閉動作）が煩わしくなる（手間が掛かる）とともに、原稿読取部を開いた状態にしている場合、原稿読み取り動作を行うことが不可能或いは困難となり、画像形成装置による作業効率の低下を招くことになる。
【０００６】
また、原稿読取部（ＡＤＦ）をシフト配置させる構成においては、当該シフト配置させるためのスペースの確保が必要となるとともに、例えば背の低い人や車椅子の人がユーザである場合は、ＡＤＦや操作パネル部が奥側にシフト配置されることから、ＡＤＦの操作（例えばＡＤＦを持ち上げて原稿読取部上の原稿載置面に原稿を置いたり、ＡＤＦの原稿載置部に原稿を置いたりするといった操作）、或いはコピー開始指示や枚数入力等の画像形成装置自体の操作が行い難くなる。
【０００７】
本発明は上記事情に鑑みてなされたもので、原稿読取部やＡＤＦを排出部上からシフト配置させたり、これらを開閉させるといった煩わしい動作を行うことなく、胴内排出された用紙の視認性を向上することができ、ひいては排出用紙の取り出しを容易に行うことが可能な画像形成装置を提供することを目的とする。
【課題を解決するための手段】
【０００８】
本発明の請求項１に係る画像形成装置は、胴内排出型の画像形成装置であって、前記胴内排出により排出される用紙の排出部上に設けられた原稿読み取りを行う原稿読取部と、当該排出部上に設けられ、前記原稿読取部へ原稿を自動給紙する自動原稿給紙装置とを備え、前記原稿読取部及び自動原稿給紙装置は、汎用原稿サイズである第１の原稿サイズに対応するサイズとされ、前記自動原稿給紙装置は、少なくとも前記第１の原稿サイズよりも大きなサイズである第２の原稿サイズが通紙可能とされていることを特徴とする。
【０００９】
上記構成によれば、自動原稿給紙装置によって少なくとも第１の原稿サイズより大きなサイズの第２の原稿サイズの通紙（原稿読み取り）が可能とされており、排出部の上部に配置された原稿読取部及び自動原稿給紙装置が、第１の原稿サイズに対応したより小さいサイズとされている。
【００１０】
したがって、第１の原稿サイズ（例えばＡ４サイズ）の原稿に対しては原稿読取部上に載置させて読み取りを行い、それより大きな第２の原稿サイズ（例えばＡ３サイズ）の原稿に対しては自動原稿給紙装置による通紙によって読み取りを行うことで、いずれもその大きさが第１の原稿サイズの大きさとなるよう構成されている原稿読取部及び自動原稿給紙装置を用いて、第１の原稿サイズから第２の原稿サイズに亘っての各サイズの原稿の読み取りが行えるとともに、排出部（例えば第２の原稿サイズの用紙が載置可能な大きさの排出部）に対して、その上部における原稿読取部及び自動原稿給紙装置が排出部のサイズよりも小さい第１の原稿サイズとされて排出部上の一部が開放された状態（例えば上方から視て視線を遮る遮蔽物が存在していない状態）とすることができ、これにより、原稿読取部や自動原稿給紙装置を排出部上からシフト配置させたり、これらを開閉させるといった煩わしい動作を行うことなく、胴内排出により排出部へ排出された用紙又は当該排出部に対する視認性を向上することができ、ひいては排出用紙の取り出しを容易に行うことが可能となる。
【００１１】
請求項２に係る画像形成装置は、請求項１において、前記自動原稿給紙装置は、原稿の載置を補助するべく引き出し自在に構成された補助トレイを備えていることを特徴とする。この構成によれば、自動原稿給紙装置に、引き出し自在に構成された補助トレイが備えられているため、必要ない場合には補助トレイを自動原稿給紙装置内に収納しておき、これにより視認性が低下することを防止できるとともに、必要な場合には補助トレイを引き出して用いることで、例えば第２の原稿サイズの原稿の読み取り時における通紙動作を円滑に行うことができ、或いは当該読み取り後に排出されてきた原稿の落下等を防止することができるというように、自動原稿給紙装置による原稿読み取り動作をより確実に且つ容易に行うことができる。
【００１２】
請求項３に係る画像形成装置は、請求項２において、前記補助トレイは、所定の切欠部又は開口部が形成されていることを特徴とする。この構成によれば、補助トレイには、所定の切欠部又は開口部が形成されているため、補助トレイを引き出して用いる場合に、当該補助トレイによって視線が遮られ、排出部に排出された用紙や排出部が見え難くなってしまうことを防止できる。
【００１３】
請求項４に係る画像形成装置は、請求項１〜３のいずれかにおいて、前記第１の原稿サイズはＡ４サイズであり、前記第２の原稿サイズはＡ３サイズであることを特徴とする。この構成によれば、第１の原稿サイズ及び第２の原稿サイズがそれぞれＡ４サイズ、Ａ３サイズであるため、一般的によく用いられるＡ４サイズの原稿に対しては、原稿読取部（上に載置させて読み取る方法）或いは自動原稿給紙装置（により自動給紙させて読み取る方法）を用いた幅広い方法を用いての読み取り動作を可能とするとともに、Ａ４サイズより大きな一般的によく用いられるＡ３サイズの原稿に対しては自動原稿給紙装置を用いた通紙による読み取り方法によって容易に対処することが可能となる。
【発明の効果】
【００１４】
請求項１記載の発明によれば、第１の原稿サイズの大きさとなるよう構成されている原稿読取部及び自動原稿給紙装置を用いて、第１の原稿サイズから第２の原稿サイズに亘っての各サイズの原稿の読み取りが行えるとともに、排出部（例えば第２の原稿サイズの用紙が載置可能な大きさの排出部）に対して、その上部における原稿読取部及び自動原稿給紙装置が排出部のサイズよりも小さい第１の原稿サイズとされて排出部上の一部が開放された状態とすることができ、これにより、原稿読取部や自動原稿給紙装置を排出部上からシフト配置させたり、これらを開閉させるといった煩わしい動作を行うことなく、胴内排出により排出部へ排出された用紙又は当該排出部に対する視認性を向上することができ、ひいては排出用紙の取り出しを容易に行うことが可能となる。
【００１５】
請求項２記載の発明によれば、必要ない場合には補助トレイを自動原稿給紙装置内に収納しておき、これにより視認性が低下することを防止できるとともに、必要な場合には補助トレイを引き出して用いることで、例えば第２の原稿サイズの原稿の読み取り時における通紙動作を円滑に行うことができ、或いは当該読み取り後に排出されてきた原稿の落下等を防止することができるというように、自動原稿給紙装置による原稿読み取り動作をより確実に且つ容易に行うことができる。
【００１６】
請求項３記載の発明によれば、補助トレイを引き出して用いる場合に、当該補助トレイによって視線が遮られ、排出部に排出された用紙や排出部が見え難くなってしまうことを防止できる。
【００１７】
請求項４記載の発明によれば、一般的によく用いられるＡ４サイズの原稿に対しては、原稿読取部（上に載置させて読み取る方法）或いは自動原稿給紙装置（により自動給紙させて読み取る方法）を用いたより幅広い方法による読み取り動作を可能とするとともに、Ａ４サイズより大きな一般的によく用いられるＡ３サイズの原稿に対しては自動原稿給紙装置を用いた通紙による読み取り方法によって容易に対処することが可能となる。
【発明を実施するための最良の形態】
【００１８】
以下、本発明に係る画像形成装置について図面を参照しながら説明する。図１は、本発明に係る画像形成装置の一例である複写機１の内部構成を概略的に示す断面図である。複写機１は、画像形成部１００、画像形成部１００を備える本体部１０の上方に設置された原稿給送部２００、本体部１０の上部に設置された原稿読取部３００、本体部１０の下部に設置された給紙部４００、本体部１０のフロント部（ここでは原稿読取部３００の前方部）に設置された操作表示部５００を備えている。
【００１９】
原稿読取部３００は、原稿の読み取りを行い当該原稿に対応する画像データを生成するものである。原稿読取部３００は、光学的に取得した原稿の画像から画像データを生成するＣＣＤ（Charge Coupled Device）センサ及び露光ランプ等を備えたスキャナ３０１などからなり、その上面に、装置原稿読み取り用の第１コンタクトガラス３０２と、原稿給送部２００から給送される原稿のための即ちＡＤＦ原稿読み取り用の第２コンタクトガラス３０３とを備えている。原稿読取部３００は、第１コンタクトガラス３０２上に載置された原稿、あるいは原稿給送部２００によって第２コンタクトガラス３０３に接するようにして搬送（移動）される原稿を走査しつつ取得した画像データを、後述する制御部２０へ出力する。
【００２０】
原稿給送部２００（ＡＤＦ）は、原稿読取部３００へ原稿を給送するものである。原稿給送部２００は、原稿を載置する原稿トレイ２０１、搬入ローラ等を備え、原稿トレイ２０１から原稿を搬入させる搬入駆動部２０２、搬送経路２０３中の原稿を搬送する搬送ローラ２０４、２０５、搬送経路２０３において原稿を原稿読み取り位置（第２コンタクトガラス３０３）へ向けて搬送するとともに、原稿読み取り位置で読み取られた原稿をさらに下流側に向けて搬送させる搬送ドラム２０６、搬送ローラ２０５により搬送されてきた原稿を排出させる排出ローラ２０７、及び排出ローラ２０７により排出された原稿を載置（積載）する原稿排出トレイ２０８等を備えて構成されている。
【００２１】
原稿給送部２００は、コピー開始の指示入力等に応じて、原稿トレイ２０１に載置された原稿を自動的に１枚ずつ第２コンタクトガラス３０３に接触させつつ搬送し、この位置での原稿の露光走査後に原稿排出トレイ２０８上へ排出させる所謂シートスルータイプの原稿読み取りを実現する。
【００２２】
原稿給送部２００は、装置の側面側（ここでは左側面側）を回動支点として原稿読取部３００（本体部１０）の上面に対して可倒式に構成されており、第１コンタクトガラス３０２（第２コンタクトガラス３０３）の上面を開放するように上方かつ側方側に向けて開くように持ち上げることにより、第１コンタクトガラス３０２の上面において、後述するようにＡ４サイズ（及びＡ４サイズより小さいサイズ）の原稿、或いは見開き状態にされたブック原稿（書籍）等の読み取り用原稿を載置することが可能に構成されている。
【００２３】
ここで、図１とともに図２を用いて、本発明の主な特徴点である原稿給送部２００及び原稿読取部３００の構成について説明する。図２は、図１に示す複写機１の概略上面図である。まず原稿読取部３００は、当該原稿読取部３００の大きさが汎用原稿サイズ（ここではＡ４サイズ）に対応する大きさとなるように構成されている。具体的には、原稿読取部３００の大きさ（横幅Ｗ）は、第１コンタクトガラス３０２に載置される原稿Ｇのサイズが汎用原稿サイズ（Ａ４サイズ）となる大きさとされており、従来における図５に示すように、原稿読取部により本体部１０上の全面が覆われた状態ではなく、図１、２に示すように本体部１０上の符号３１０に示す一部分（例えば約右半分）が開放された（大きく切り欠かれた）状態となるように形成されている。
【００２４】
ただし、第１コンタクトガラス３０２の大きさは、当該第１コンタクトガラス３０２面における読み取り可能な最大の原稿サイズがＡ４サイズとなる大きさであるということであって、この第１コンタクトガラス３０２において読み取られる原稿のサイズはＡ４サイズに限定されず、このＡ４サイズより小さいサイズであれば何れのサイズであってもよい。なお、汎用原稿サイズをＢ５サイズとし、原稿読取部３００を当該Ｂ５サイズに対応する大きさとする構成であってもよい。この場合、Ａ４サイズの場合と同様にＢ５サイズよりも小さい任意サイズの原稿が読み取り可能である。なお、原稿読取部３００の縦幅Ｌは、本体部１０の縦幅Ｍと同じ或いはそれより短くされていてもよい。
【００２５】
次に、原稿給送部２００は、上記原稿読取部３００の場合と同様に、その大きさ（横幅）が汎用原稿サイズ（Ａ４サイズ：横幅Ｗ）に対応する大きさとなるように構成されており、本体部１０上の符号２１０に示す一部分（例えば約右半分）が開放された状態となるように形成されている。原稿給送部２００の縦幅も同様に、本体部１０の縦幅Ｍと同じ或いはそれより短くされていてもよい。なお、原稿給送部２００の大きさ（縦幅及び横幅）は必ずしも原稿読取部３００の大きさと一致する必要はないが、いずれにしても原稿給送部２００及び原稿読取部３００は、符号２１０、３１０に示すように本体部１０（後述の排出トレイ１０８）上の一部が開放された状態となる構成とされている。
【００２６】
原稿給送部２００は、上記汎用原稿サイズ（Ａ４サイズ）よりも大きなサイズ（Ａ３サイズ）の原稿が原稿トレイ２０１から原稿排出トレイ２０８へ通紙（シートスルー）可能に構成されている。具体的には原稿トレイ２０１の縦幅Ｎが上記Ａ３サイズの原稿幅に対応するものとなっている。ただし、この場合も、最大の通紙可能原稿サイズがＡ３サイズということであって、このＡ３サイズを超えなければ何れのサイズ（例えばＢ４サイズやＡ４サイズ）であってもよい。また、原稿給送部２００は、原稿トレイ２０１及び原稿排出トレイ２０８の一端部（右端部）に、それぞれトレイへの原稿の載置を補助するべく装置から外へ向けて引き出し自在（矢印Ａで示す方向に伸縮自在）に構成された補助トレイ２１１、２１２が設けられている。この各補助トレイ２１１、２１２は、通紙（載置）される原稿サイズに応じて適宜用いられるものであって、必ずしも両方が引き出されなくともよく、一方のみが引き出されてもよいし、両方とも引き出されなくてもよい。
【００２７】
なお、補助トレイ２１１、２１２は、引き出された際に、当該補助トレイ２１１、２１２によって例えば上方から視た場合の視線が遮られ、補助トレイ下にある原稿排出トレイ２０８又は原稿排出トレイ２０８上に排出された用紙に対する視認性が悪くなってしまうことのないよう所定の切欠部や開口部が形成されていることが好ましい。この場合、例えば上面視例えばコ字状となるよう端辺部が切り欠かれた形状や櫛形状、或いは円形や長方形等の孔が開けられた形状、網形状に形成されている。
【００２８】
このように原稿給送部２００及び原稿読取部３００のサイズ（大きさ）が、汎用原稿サイズ（例えばＡ４サイズ）に対応するサイズとなるよう構成されており、原稿給送部２００は、汎用原稿サイズよりも大サイズである原稿（例えばＡ３サイズ）が通紙可能とされているため、この大サイズの原稿読み取りに基づいて画像形成された同じサイズの原稿が胴内排出される排出部（後述の排出トレイ１０８）の上方（の一部）が開放された状態、すなわち例えば上方から排出部の用紙を確認しようとして、原稿給送部２００及び原稿読取部３００によって当該視線が遮られないような状態とすることができ、これにより、排出部へ排出されてきた用紙又は当該排出部に対する視認性を向上することができ、排出された用紙の取り出しを容易に行うことも可能となる。
【００２９】
また、装置内のレーザ走査ユニットやトナー定着部による放熱等によって、排出部に熱がこもり易くなるということもあり、定着処理後排出されてきた用紙が例えば取り忘れによって放置されて互いに貼り付いてしまうことがあるが、この観点からも、排出部上が開放されていることにより、排出部に熱がこもらず（熱が逃げ易く）用紙の冷却に有利となり、当該用紙同士が互いに貼り付いてしまうこと等の防止を図ることが可能となる。
【００３０】
なお、本実施形態の原稿給送部２００及び原稿読取部３００が汎用原稿サイズの大きさとされた複写機１においては、図４に示すように、原稿読取部３００における開放側の端部３２０側（右端側）の載置面に、開かれたブック原稿Ｂの片側のページ面が当接するように且つブック原稿Ｂの綴じ部（のど部）がコーナー部３２１（角部）に掛かるように載置され、これにより、ブック原稿Ｂを１８０度に見開いた状態でその全面（左右ページ面）を原稿読取部の載置面に押し付けた状態で読み取る場合に比べ、当該綴じ部における読み取り画像の歪みを少なくすることが可能となる。ただし、この場合、コーナー部３２１近傍位置までスキャナ３０１による画像読み取りが可能となる構成、例えば第１コンタクトガラス３０２の端部が当該コーナー部３２１近傍に位置するように配置されていることが好ましい。また、図４に示すようにブック原稿Ｂを載置する場合、原稿給送部２００を閉じて当該ブック原稿Ｂを上方から押さえ付けることができるため、載置しているブック原稿Ｂの落下防止が図れるとともに、より確実に読み取りページ面を第１コンタクトガラス３０２へ押し当てることができ、読み取り画像の歪みの発生を確実に抑えることができる。
【００３１】
なお、原稿読取部３００の側壁部３２２が図４に示すように垂直ではなく、下方に向かって外側へ傾斜してなる傾斜面として構成されていてもよく、これにより、載置したブック原稿Ｂの綴じ部を原稿読取部３００の内側（矢印Ｃで示す方向）へ移動させた状態にしての画像読み取りを容易に行えるようになり、当該綴じ部の読み取り画像の歪みをより小さくすることができるとともに、第１コンタクトガラス３０２の端部（スキャナ３０１による読み取り端）をコーナー部３２１直近に位置させた構成（設計）とすることなく、既存の読み取り構成を有した原稿読取部３００とすることができる。
【００３２】
図１に戻って、給紙部４００は、画像形成部１００に対して用紙の給紙を行うものである。給紙部４００は、各サイズの用紙（記録紙）が収納される給紙カセット４０１と、給紙カセット４０１から画像形成部１００へ用紙を搬送する搬送路４０２とを備えている。給紙カセット４０１は、収納されている用紙を取り出すためのピックアップローラ４０３及び用紙を１枚ずつ搬送路４０２に送り出す給紙ローラ４０４を備えている。搬送路４０２には、搬送路４０２中の用紙を搬送する搬送ローラ（図略）や、搬送されてきた用紙を画像形成部１００の手前で待機させるためのレジストローラ４０５が設けられている。なお、給紙カセット４０１は２段以上で構成されていてもよい。また、本体部１０の一側方部（右側面部）に、開閉自在に構成された手差しトレイ等からなる手差し給紙部が設けられていてもよい。
【００３３】
画像形成部１００は、給紙部４００により搬送されてきた用紙に対して所定の画像を形成する（印刷する）ものである。画像形成部１００は、同図中に示す矢印方向に回転可能に支持された感光体ドラム１０１、感光体ドラム１０１の周囲に配設された帯電部１０２、現像部１０３、クリーニング部１０４、レーザ走査ユニット１０５、転写ローラ１０６、及び転写ローラ１０６の下流側に配設された定着ローラ１０７を備えている。
【００３４】
帯電部１０２は、感光体ドラム１０１の表面を所定電位に均一に帯電させるものである。レーザ走査ユニット１０５は、後述する画像記憶部３０等から送信されてきた画像データに基づき、レーザービームを感光体ドラム１０１の表面に照射し、感光体ドラム１０１表面に静電潜像を形成するものである。現像部１０３は、静電潜像にトナーを付着させて画像（原稿画像）を顕在化させるものである。なお、現像部１０３は、現像部１０３にトナーを供給するための交換可能（着脱自在）に構成されたトナーカートリッジ１０３１を備えている。転写ローラ１０６は、搬送されてきた用紙を感光体ドラム１０１に押し付けた状態で、感光体ドラム１０１上に顕在化したトナー像を当該用紙に転写させるものである。定着ローラ１０７は、用紙に転写されたトナー像を定着させるものである。定着ローラ１０７は、ヒートローラ１０７１及び圧ローラ１０７２からなり、このヒートローラ１０７１の熱によって用紙上のトナーを溶かし、圧ローラ１０７２によって圧力をかけてトナーを用紙上に定着させる。クリーニング部１０４は、用紙への画像の転写が終了した後、感光体ドラム１０１の表面に残留しているトナーを清掃するものである。
【００３５】
本体部１０の上部には、排出された用紙Ｓを載置（積載）するための排出トレイ１０８が設けられている。上記定着ローラ１０７による定着が行われた後、搬送路１０９における搬送ローラ１１０により搬送されてきた用紙Ｓは、排出ローラ１１１によって当該排出トレイ１０８へ排出される。なお、排出トレイ１０８は、汎用サイズよりも大きなサイズの原稿、ここでは例えばＡ３サイズの原稿が載置可能な大きさの載置面を有したものとなっている。
【００３６】
操作表示部５００は、ユーザの操作に応じて所定の指示入力を行うものである。操作表示部５００は、図２に示すように、ユーザが印刷実行指示を入力するためのスタートキー５０１と、印刷部数等を入力するためのテンキー５０２と、各種複写動作の設定等を入力するための操作ガイド情報等を表示すると共に、種々の操作ボタン等が表示される液晶表示器（ＬＣＤ）等からなる表示器５０３（ディスプレイ）とを備えている。操作表示部５００は、（横幅Ｋが本体部１０の横幅となるような大きさとされることなく）原稿読取部３００の横幅Ｗと合わせた横幅Ｋとされてよりコンパクトに構成されている。これにより、当該操作表示部５００によって視界が遮られることなく、原稿排出トレイ２０８又は原稿排出トレイ２０８上に排出された用紙に対する視認性がより向上される。なお、操作表示部５００の横幅Ｋは、横幅Ｗより小さくてもよいし、多少横幅Ｗより大きくてもよい。また、操作表示部５００は原稿読取部３００でなく本体部１０に設けられていてもよい。
【００３７】
図３は、図１に示す複写機１の概略構成を示すブロック図である。複写機１は、装置全体の動作制御を司る制御部２０を備えている。制御部２０は、複写機１の制御プログラムを記憶するＲＯＭ（Read Only Memory）、一時的にデータを保管するＲＡＭ（Random Access Memory）、及び上記制御プログラム等をＲＯＭから読み出して実行するマイクロコンピュータ等からなり、操作表示部５００等において入力された所定の指示情報や、本装置の各所に設けられた各種センサからの検出信号に応じて装置全体の制御を行うものである。この制御部２０は、画像形成部１００、原稿給送部２００、原稿読取部３００、給紙部４００及び操作表示部５００、並びに画像記憶部３０及び画像処理部４０などが接続されている。
【００３８】
画像記憶部３０は、原稿読取部３００によって読み取られた原稿の画像データや図略のネットワークＩ／Ｆ部等を介して外部装置から送信されてきた画像データを一時的に記憶するメモリである。画像処理部４０は、上記画像データに対する各種画像処理、例えばガンマ処理や拡大縮小処理を行うものである。画像処理部４０では、例えば原稿読取部３００による読み取りによって得られた原稿画像に対する画像データのＡ／Ｄ変換が行われ、当該Ａ／Ｄ変換された画像データを用いて上記各種画像処理が行われる。
【００３９】
以上のように本発明の画像形成装置によれば、原稿給送部２００によって、少なくとも汎用原稿サイズであるＡ４サイズ（第１の原稿サイズ）より大きなサイズのＡ３サイズ（第２の原稿サイズ）の通紙（原稿読み取り）が可能とされており、このＡ３サイズとなる原稿が載置される排出トレイ１０８の上部に配置された原稿読取部３００及び原稿給送部２００が、Ａ４サイズに対応したより小さいサイズとされている。したがって、Ａ４サイズの原稿に対しては原稿読取部３００上に載置させて読み取りを行い（Ａ４サイズの原稿を原稿給送部２００で通紙させて読み取ってもよい）、それより大きなＡ３サイズの原稿に対しては原稿給送部２００による通紙によって読み取りを行うことで、いずれもその大きさがＡ４サイズに対応する大きさとなるよう構成されている原稿読取部３００及び原稿給送部２００を用いて、Ａ４サイズからＡ３サイズに亘っての各サイズの原稿の読み取りを行うことができ、排出トレイ１０８（例えばＡ３サイズの用紙が載置可能な大きさの排出トレイ１０８）に対して、その上部における原稿読取部３００及び原稿給送部２００が排出トレイ１０８のサイズよりも小さいＡ４サイズとされて排出トレイ１０８上の一部が開放された状態（例えば上方から視て視線を遮る遮蔽物が存在していない状態）とすることができ、これにより、原稿読取部３００や原稿給送部２００を排出トレイ１０８上からシフト配置させたり、これら原稿読取部３００や原稿給送部２００を開閉させるといった煩わしい動作を行う必要がなく、胴内排出により排出トレイ１０８へ排出された用紙又は当該排出トレイ１０８に対する視認性を向上することができ、ひいては排出用紙の取り出しを容易に行うことが可能となる。
【００４０】
また、原稿給送部２００には、引き出し自在に構成された補助トレイ２１１、２１２が備えられているため、必要ない場合にはこれら補助トレイ２１１、２１２を原稿給送部２００内に収納しておき、これにより視認性が低下することを防止できるとともに、必要な場合には補助トレイ２１１、２１２を引き出して用いることで、例えばＡ３サイズの原稿の読み取り時における通紙動作を円滑に行うことができ、或いは当該読み取り後に排出されてきた原稿（例えばＡ３原稿）の落下等を防止することができるというように、原稿給送部２００による原稿読み取り動作をより確実に且つ容易に行うことができる。
【００４１】
また、補助トレイ２１１、２１２には、所定の切欠部又は開口部が形成されているため、補助トレイ２１１、２１２を引き出して用いる場合に、当該補助トレイ２１１、２１２によって視線が遮られ、排出部に排出された用紙や排出部が見え難くなってしまうことを防止できる。
【００４２】
さらに、汎用原稿サイズ（原稿読取部３００及び原稿給送部２００の大きさ）をＡ４サイズに設定し、原稿給送部２００で通紙可能なＡ４サイズより大きな原稿サイズをＡ３サイズに設定することで、一般的によく使用されるＡ４サイズの原稿に対しては、原稿読取部３００（上に載置させて読み取る方法）或いは原稿給送部２００（により自動給紙させて読み取る方法）を用いた幅広い方法（２通りの方法）を用いての読み取り動作を可能とするとともに、Ａ４サイズより大きくて且つ一般的によく使用されるＡ３サイズの原稿に対しては原稿給送部２００を用いた通紙による読み取り方法を用いて容易に対処することが可能となる。なお、本発明は、以下の態様をとることができる。
【００４３】
（Ａ）汎用原稿サイズ（原稿給送部２００及び原稿読取部３００）をＡ４サイズより大きなサイズ例えばＡ３サイズとし、第１コンタクトガラス３０２をこのＡ３サイズに応じたサイズとしてもよい。この場合、原稿給送部２００による最大の通紙可能原稿サイズはＡ３より大きなサイズとなる。
【００４４】
（Ｂ）複写機１において原稿給送部２００（ＡＤＦ）が設けられていない構成（本体部１０上部に原稿読取部３００のみが設けられている構成）であってもよい。ただし、この場合、原稿給送部２００の代わりに原稿読取部３００を覆う所定の開閉カバーが設けられていることが好ましい。
【００４５】
（Ｃ）原稿給送部２００に補助トレイ２１１、２１２を設けなくともよい。また、補助トレイ２１１、２１２のうち一方側のみが設けられている構成であってもよい。
【図面の簡単な説明】
【００４６】
【図１】本発明に係る画像形成装置の一例である複写機の内部構成を概略的に示す断面図である。
【図２】図１に示す複写機の概略上面図である。
【図３】図１に示す複写機の概略構成を示すブロック図である。
【図４】本発明の変形例を説明する図である。
【図５】従来の画像形成装置を示す図である。
【符号の説明】
【００４７】
１  複写機（画像形成装置）
１０  本体部
１００  画像形成部
１０１  感光体ドラム
１０２  帯電部
１０３  現像部
１０３１  トナーカートリッジ
１０５  レーザ走査ユニット
１０６  転写ローラ
１０７  定着ローラ
１０８  排出トレイ
２００  原稿給送部（自動原稿給紙装置）
２０１  原稿トレイ
２０２  搬入駆動部
２０３  搬送経路
２０８  原稿排出トレイ
２１１、２１２  補助トレイ
３００  原稿読取部
３０１  スキャナ
３０２  第１コンタクトガラス
３０３  第２コンタクトガラス
４００  給紙部
４０１  給紙カセット
４０３  ピックアップローラ
５００  操作表示部
Ｇ  原稿
Ｓ、Ｐ  用紙
【図１】
2006067430.tif 000003
【図２】
2006067430.tif 000004
【図３】
2006067430.tif 000005
【図４】
2006067430.tif 000006
【図５】
2006067430.tif 000007